(57)【特許請求の範囲】
【請求項１】
被検眼眼底を観察及び撮影するための照明光を被検眼眼底に導く照明光学系と、
被検眼眼底を撮影するための撮影光学系と、
前記照明光学系の照明光の光量と前記被検眼眼底から反射される反射光の光量とから前記被検眼眼底の反射率を測定する眼底反射率測定手段と、
前記眼底反射率測定手段の出力に基づいて撮影光束の光量を演算する演算手段とを備えた眼底カメラにおいて、
前記眼底反射率測定手段による測定値が平均値より高い場合には、適正な光量よりも所定量だけ高い光量に前記撮影光束の光量を制御する一方、
前記眼底反射率測定手段による測定値が平均値より低い場合には、適正な光量よりも所定量だけ低い光量に前記撮影光束の光量を制御する光量制御手段を備えたことを特徴とする眼底カメラ。
【請求項２】
前記眼底反射率測定手段による測定値と平均値との差が所定値以下である場合には、平均的な反射率を有する眼底を撮影する場合の発光量と同一の発光量で撮影を行うことを特徴とする請求項１に記載の眼底カメラ。
【発明の詳細な説明】
【０００１】
【発明の属する技術分野】
本発明は眼底カメラに係り、特に自動露光機能を持つ眼底カメラに関する。
【０００２】
【従来の技術】
一般に眼底カメラは、観察用照明光により被検眼を観察し、撮影用照明光により被検眼を撮影するものである。
【０００３】
このような眼底カメラは、観察用照明光を被検眼に照射したときの反射率に基づいて、撮影用照明光の発光量を制御するように構成されている。
【０００４】
【発明が解決しようとする課題】
上記従来の眼底カメラでは、眼底の反射率の高低にかかわらず、同じ明るさの眼底写真が得られるが、そのために、写真そのものからは、撮影された眼底の反射率が高かったのか低かったのかがわからないものであった。
【０００５】
本発明は、この点に鑑み、眼底写真そのものから、眼底の反射率がわかるようにすることを目的とする。
【０００６】
【発明の実施の形態】
以下に、本発明に係る眼底カメラの実施の形態を図面に基づいて説明する。
【０００７】
図１は、本発明に係る眼底カメラの光学系の説明図である。図１において、１０は被検眼Ｅに照明光束を導く照明光学系、３０は被検眼Ｅからの照明光束の反射光束をテレビカメラＴに導く観察・撮影光学系、５０は観察・撮影光学系３０から分岐されたファインダー光学系である。尚、図１において、Ｅｆは眼底、Ｅｃは角膜、Ｅｒは水晶体である。
【０００８】
照明光学系１０は、観察用光源（例えば、ハロゲンランプ）１１、コンデンサーレンズ１２、撮影用光源（例えば、キセノンランプ）１３、コンデンサーレンズ１４、蛍光撮影時に光軸Ｏ１で示す照明光路内に挿入されるエキサイターフィルター１５、第１反射部材１６、照明用絞り１７、反射ミラー１８、有害反射光を除去する黒点１９ａを有する有害反射光除去部材１９、リレーレンズ２０、穴空きミラー２１、対物レンズ２２を有する。
【０００９】
ハロゲンランプ１１から出射された観察用の照明光束は、コンデンサーレンズ１２から対物レンズ２２までの光学部品を経て被検眼Ｅの眼底Ｅｆに照射され、また、図示しない撮影スイッチの押圧によって発光するキセノンランプ１３から出射された撮影用の照明光束は、コンデンサーレンズ１４から対物レンズ２２までの光学部品を経て被検眼Ｅの眼底Ｅｆに照射される。
【００１０】
尚、カラー撮影モードの場合にはエキサイターフィルター１５は光路から退避される。照明用絞り１７は被検眼Ｅの角膜Ｅｃと共役であり、黒点１９ａは対物レンズ２２の表面での反射光が穴空きミラー２１の孔部２１ａを通過するのを阻止する遮光物である。
【００１１】
第１反射部材１６は、ハロゲンランプ１１から出射された照明光束の一部を第１導光光学系２３に分岐する。この第１導光光学系２３は、コンデンサーレンズ２４、光ファイバー２５、ハーフミラー２６、コンデンサーレンズ２７、光検出素子２８（例えば、可視光型シリコンフォトダイオード）を有する。
【００１２】
ハロゲンランプ１１から出射された観察・撮影用の照明光束は、その一部が第１反射部材１６によって反射される。この反射された照明光束は、コンデンサーレンズ２４によって光ファイバー２５の端面に収束され、光ファイバー２５によってハーフミラー２６へと導かれた後、ハーフミラー２６に反射され、コンデンサーレンズ２７によって光検出素子２８に結像される。
【００１３】
観察・撮影光学系３０は、対物レンズ２２、穴空きミラー２１の穴部２１ａ、撮影絞り３１、蛍光撮影時に光軸Ｏ２で示す撮影光路内に挿入されるバリアフィルター３２、第２反射部材３３、フオーカスレンズ３４、変倍レンズ３５、結像レンズ３６、クイックリターンミラー３７、３５mmフィルムＦ、光路切換ミラー３８、マスク３９、眼底Ｅｆと共役なフィールドレンズ４０、反射ミラー４１、テレビリレーレンズ４２、受像面４３を有するテレビカメラＴを有する。このテレビカメラＴには画面４４ａを有するモニタ装置４４と接続されている。尚、テレビカメラＴで観察・記録するための記憶装置等は図では省略されている。
【００１４】
変倍レンズ３５は、光路から挿脱自在となっており、例えば、画角５０度の変倍レンズ３５と画角３５度の変倍レンズ３５´とで切り換え可能となっている。
【００１５】
眼底Ｅｆで反射された反射光束は、対物レンズ２２から結像レンズ３６に至る光学部材を経てクイックリターンミラー３７に至る。クイックリターンミラー３７は、通常は図示のように観察・撮影光学系３０の光路内に挿入された状態にあり、キセノンランプ１３を発光させた撮影の場合にはクイックリターンミラー３７が矢印方向に瞬間的に跳ね上がり、これにより眼底Ｅｆで反射された反射光束に基づく眼底像が３５mmフィルムＦに撮影される。
【００１６】
また、ハロゲンランプ１１を点灯させての観察時の反射光束は、クイックリターンミラー３７に反射され、アライメント操作時等の肉眼観察の場合には光路切換ミラー３８に反射されてファインダー光学系５０へと導かれ、モニター観察・撮影の場合には光路切換ミラー３８が矢印方向に変位して光路から退避され、マスク３９からテレビリレーレンズ４２に至る光学部品を経て受像面４３に導かれる。そして、受像面４３上には眼底像が結像され、これにより、モニタ装置４４の画面４４ａに眼底像Ｅｆ´が画面表示される。尚、画面４４ａには、後述する反射率を表示することも可能である。
【００１７】
第２反射部材３３には、プリズムミラーが用いられており、被検眼Ｅにより反射された反射光束の一部を第２導光光学系４５に分岐する。第２導光光学系４５は、集光レンズ４６、開口絞り４７を備えていると共に、第１導光光学系２３のハーフミラー２６、コンデンサーレンズ２７、光検出素子２８を共用している。
【００１８】
眼底Ｅｆで反射された反射光束の一部は、対物レンズ２２、穴部２１ａ、撮影絞り３１を経て第２反射部材３３に反射され、集光レンズ４６、開口絞り４７を経てハーフミラー２６を透過した後、コンデンサーレンズ２７によって光検出素子２８に結像される。
【００１９】
なお、第２反射部材３３は撮影光路に対して挿脱自在であり、アライメント時には撮影光路から離脱させることで光検出素子２８への導光を阻止することができる。また、第１導光光学系２３からの照明光束を反射し、第２導光光学系４５からの反射光束を透過するハーフミラー２６は、眼底Ｅｆの反射率の低さから、透過率が反射率よりも比較的高いものが使用されており、ここでは、透過率７０％、反射率３０％となっている。
【００２０】
ファインダー光学系５０は、マスク５１と、眼底Ｅｆと共役なフィールドレンズ５２と、接眼レンズ５３とを有し、光路切換ミラー３８によって反射された反射光束をマスク５１、フィールドレンズ５２、接眼レンズ５３を経て肉眼視し、装置本体と被検眼Ｅとの相対位置の調整（アライメント調整，作動距離調整）およびフォーカスレンズ３４によるピント合わせを行う。
【００２１】
一方、光検出素子２８にはログアンプ６１を介して演算制御回路６０が接続されている。この演算制御回路６０には、図２に示すように、ログアンプ６１、メモリＡ，Ｂ、撮影モードをカラー撮影と蛍光撮影とで切り換える撮影モード選択スイッチ６２、変倍レンズ３５と変倍レンズ３５´との切り換え時に操作される倍率選択スイッチ６３、撮影装置を３５mmフィルムＦとテレビカメラＴとで切り換える撮影装置選択スイッチ６４、蛍光撮影時にエキサイターフィルター１５を光路内に挿入しカラー撮影時にエキサイターフィルター１５を光路外へと退避させるエキサイターフィルター駆動部６５、蛍光撮影時にバリアフィルター３２を光路内に挿入しカラー撮影時にバリアフィルター３２を光路外へと離脱させるバリアフィルター駆動部６６、第２反射部材３３の光路内への挿入並びに光路外への離脱をするソレノイド６７、テレビカメラＴに接続の信号処理回路６８、キセノンランプ１３の光量調整を行う制御回路６９が接続されている。制御回路６９には補正回路６９ａが内蔵されている。
【００２２】
尚、本実施の形態では、メモリＢは記憶手段を、演算制御回路６０は演算手段を、制御回路６９は制御手段を、補正回路６９ａは補正手段をそれぞれ構成している。
【００２３】
次に、上記構成の眼底カメラにおける作用について、カラー撮影モードで３５mmフィルムＦに撮影記録する場合を例にして説明する。
【００２４】
カラー撮影モードで３５mmフィルムＦに撮影する場合、アライメント時には、第２反射部材３３は光路から離脱されており、光路切換ミラー３８は光路内にあってファインダー光学系５０によるアライメント観察状態となっている。このアライメント観察状態では、ハロゲンランプ１１から出射された照明光束の一部が第１反射部材１６によって反射され、コンデンサーレンズ２４、光ファイバー２５、ハーフミラー２６、コンデンサーレンズ２７を経て光検出素子２８に入射する。光検出素子２８では入射光量を一定周期でサンプリングし、入射光量に応じた電圧を発生する。この場合の発生電圧は、例えば、図３のグラフに示すように“ａ0”となる。光検出素子２８で発生した電圧値はログアンプ６１により対数変換され、その変換値はメモリＡに記憶される。
【００２５】
アライメント完了後、撮影スイッチ（図示せず）が押されると、第２反射部材３３が光軸０２上に挿入される。ハロゲンランプ１１から出射された照明光束の一部は、第１反射部材１６で反射され、コンデンサーレンズ２４、光ファイバー２５、ハーフミラー２６、コンデンサーレンズ２７を経て光検出素子２８に入射すると共に、眼底Ｅｆで反射された反射光束の一部が第２反射部材３３、集光レンズ４６、開口絞り４７、ハーフミラー２６、コンデンサーレンズ２７を経て光検出素子２８に入射する。このときの光検出素子２８での発生電圧は、照明光束の光量と眼底Ｅｆからの反射光束の光量の和となり、図３のグラフに示すように“ｂ0”となる。この電圧値もログアンプ６１により対数変換され、その変換値はメモリＡに記憶される。
【００２６】
演算制御回路６０は、メモリＡに記憶された値に基づき、次式により、眼底Ｅｆの反射率Ｒを演算する。
【００２７】
Ｒ＝Ｋ（（ｂ0−ａ0）／ａ0）
ただし、Ｋは定数であり、装置に固有の値である。
【００２８】
メモリＢには、３５ｍｍフィルム／テレビカメラ等の撮影装置の種類別及びカラー撮影／蛍光撮影等の撮影モードの種類別に定められた発光量基準値が予め記憶されている。
【００２９】
ここでは、カラー撮影モードで３５mmフィルムに撮影する場合を例として説明しているので、演算制御回路６０は、カラー撮影モードで３５mmフィルムに撮影する場合の発光量基準値をメモリＢから読み込んで、その読み込んだ発光量基準値と上記式により演算した反射率Ｒのデータを制御回路６９に送る。
【００３０】
制御回路６９は、反射率Ｒに基づいてキセノンランプ１３の発光を制御する。
【００３１】
この場合、制御回路６９は、測定された反射率Ｒが平均値より高い場合には、測定された反射率Ｒに適した光量よりも高い光量にキセノンランプ１３の発光量を制御する。具体的には、測定された反射率Ｒよりも所定値だけ小さい反射率の眼底に適した発光光量で撮影を行う。
【００３２】
一方、測定された反射率Ｒが平均値より低い場合には、測定された反射率Ｒに適した光量よりも低い光量にキセノンランプ１３の発光量を制御する。具体的には、測定された反射率Ｒよりも所定値だけ大きい反射率の眼底に適した発光光量で撮影を行う。
【００３３】
例えば、カラー撮影モードで３５ｍｍフィルムに撮影する場合の発光量は、表１に示すようにする。
【００３４】
【表１】
0003816228.tif 000002
▲１▼測定された反射率Ｒが平均値に等しい場合
キセノンランプ１３の発光量を３６ｗに設定する。この点は従来と同様である（表１）
▲２▼測定された反射率Ｒが平均値よりも１／４だけ大きい（以下、平均値プラス１／４と称する）場合
この場合、従来は、▲１▼の場合の７０％の光量（３６×０．７＝２５ｗ）で撮影を行っていた（表１）。
【００３５】
これに対して、本実施例では、これよりも高い光量にキセノンランプの光量を制御する。例えば、測定された反射率（平均値プラス１／４）よりも１／４だけ小さい反射率（即ち平均値）の場合と同一の光量、即ち▲１▼の場合と同一の発光光量（１００％（３６ｗ））に制御する（表１）。このため、やや明るめの写真が得られるから、検者は、写真の写り具合から眼底の反射率が高いことを知ることができる。
【００３６】
▲３▼測定された反射率Ｒが平均値プラス２／４である場合
この場合、従来は▲１▼の場合の５０％の光量（３６×０．５＝１８ｗ）で撮影を行っていた（表１）。
【００３７】
これに対して、本実施例では、これよりも高い光量にキセノンランプの光量を制御する。例えば、▲１▼の場合の７０％（２５Ｗ）に制御する。即ち、測定された反射率（平均値プラス２／４）よりも１／４だけ小さい反射率（即ち平均値プラス１／４）の場合に
最適な光量（７０％（２５ｗ））に制御する（表１）。このため、やや明るめの写真が得られるから、検者は、写真の写り具合から眼底の反射率が高いことを知ることができる。
【００３８】
▲４▼測定された反射率Ｒが平均値プラス３／４である場合
この場合、従来は▲１▼の場合の３６％の光量（３６×０．３６＝１３ｗ）で撮影を行っていた（表１）。
【００３９】
これに対して、本実施例では、これよりも高い光量にキセノンランプの光量を制御する。例えば、▲１▼の場合の５０％（１８ｗ）に制御する。即ち、測定された反射率（平均値プラス３／４）よりも４／１だけ小さい反射率（平均値プラス２／４）の場合に最適  な発光光量（１８ｗ）に制御する（表１）。このため、やや明るめの写真が得られるから、検者は、写真の写り具合から眼底の反射率が高いことを知ることができる。
【００４０】
▲５▼測定された反射率Ｒが平均値よりも１／４だけ小さい（以下、平均値マイナス１／４と称する）場合
この場合、従来は▲１▼の場合よりも４０％大きな光量（３６×１．４  ５０ｗ
）で撮影を行っていた（表１）。
【００４１】
これに対して、本実施例では、これよりも小さい光量にキセノンランプの光量を制御する。例えば、▲１▼の場合と同一の光量（１００％、３６ｗ）に制御する（表１）。このため、やや暗めの写真が得られるから、検者は、写真の写り具合から眼底の反射率が低いことを知ることができる。
【００４２】
▲６▼測定された反射率Ｒが平均値マイナス２／４である場合
この場合、従来は▲１▼の場合の２．０倍の光量（３６×２＝７２ｗ）で撮影を行っていた（表１）。
【００４３】
これに対して、本実施例では、これよりも小さい光量にキセノンランプの光量を制御する。例えば、▲１▼の場合の１．４倍の光量（５０ｗ）に制御する。即ち、測定された反射率（平均値マイナス２／４）よりも１／４だけ大きい反射率（平均値マイナス１／４）の場合に最適な発光光量に制御する（表１）。このため、やや暗めの写真が得られるから、検者は、写真の写り具合から眼底の反射率が低いことを知ることができる。
【００４４】
▲７▼測定された反射率Ｒが平均値マイナス３／４である場合
この場合、従来は、▲１▼の場合の２．３倍の光量（３６×２．８  ８３ｗ）で撮影を行っていた（表１）。
【００４５】
これに対し、本実施例では、これよりも小さい光量にキセノンランプ１３の光量を制御する。例えば、▲１▼の場合の２．０倍の光量（７２ｗ）で撮影を行う。即ち、測定された反射率（平均値マイナス３／４）よりも１／４だけ大きい反射率（平均値マイナス２／４）に適した発光光量に制御する（表１）。このため、やや暗めの写真が得られるから、検者は、写真の写り具合から眼底の反射率が低いことを知ることができる。
【００４６】
▲８▼このように、本実施例では、測定された反射率Ｒと平均値との差が±１／４以内である場合（殆どの被検眼が該当する）には、眼底反射率が平均値である場合の発光量と同一の発光光量（３６ｗ）に設定する。このため、殆どの被検眼が同一の光量で撮影できるので、キセノンランプ１３の寿命が長くなるという利点を有する。
【００４７】
以上、カラー撮影モードにおいて３５ｍｍフィルムを使用して撮影する場合について説明したが、例えばＴＶカメラを使用して撮影する場合にも、ほぼ同様の露光方法を採用することができる。
【００４８】
【発明の効果】
以上説明したように、以上説明したように、本発明は、眼底反射率が高い眼底については明るめの写真が得られ、眼底反射率の低い眼底については暗めの写真が得られるので、写真そのものから眼底反射率の度合いがある程度分かるという効果を有する。
【図面の簡単な説明】
【図１】本発明に係る眼底カメラの光学系の説明図である。
【図２】制御回路のブロック図である。
【図３】光検出素子への入射光量の変化を示した図である。
【符号の説明】
１０  照明光学系
１１  ハロゲンランプ
１３  キセノンランプ
１６  第１反射部材
３０  観察光学系
３３  第２反射部材
２３  第１導光光学系
２８  光検出素子
４５  第２導光光学系
６０  演算制御回路（演算手段）
６９  制御回路（制御手段）
６９ａ  補正回路（補正手段）
Ａ，Ｂ  メモリ（メモリＢは記憶手段）
【図１】
0003816228.tif 000003
【図２】
0003816228.tif 000004
【図３】
0003816228.tif 000005